(57)【要約】【課題】コネクタハウジングに装着するパッキンの挿入が容易であり、組立作業性が向上する防水コネクタを提供する。【解決手段】防水コネクタは、筒型に形成されたコネクタハウジング１３と、コネクタハウジング１３の外周壁４７に沿って周設され、コネクタ嵌合方向の前方に開口する空所４９と、空所４９の底面５３としての立上り後壁５５に穿設された貫通孔５７と、空所内に嵌装されるパッキン１７と、パッキン１７に形成され、貫通孔５７に挿通される係止突起６７と、コネクタハウジング１３のコネクタ嵌合方向の後方に係止される電線カバー１５と、を備える。係止突起６７は、貫通孔５７に圧入されることなく、貫通孔５７に挿入可能であり、且つ、電線カバー１５がコネクタハウジング１３に係止される際に、電線カバー１５が貫通孔５７を貫通した係止突起６７の係止部６９を貫通孔５７の開口縁５９に係止させる方向に押圧付勢することにより、パッキン１７がコネクタハウジング１３に対して固定される。【選択図】図６
2013105591.tif 000002
【特許請求の範囲】
【請求項１】
筒型に形成されたコネクタハウジングと、
前記コネクタハウジングの外周壁に沿って周設され、コネクタ嵌合方向の前方に開口する空所と、
前記空所の底面としての立上り後壁に穿設された貫通孔と、
前記空所内に嵌装されるパッキンと、
前記パッキンに形成され、前記貫通孔に挿通される係止突起と、
前記コネクタハウジングのコネクタ嵌合方向の後方に係止される電線カバーと、
を備える防水コネクタであって、
前記係止突起は、前記貫通孔に圧入されることなく、前記貫通孔に挿入可能であり、且つ、
前記電線カバーが前記コネクタハウジングに係止される際に、前記電線カバーの内壁縁部が前記貫通孔を貫通した前記係止突起の係止部を前記貫通孔の開口縁に係止させる方向に押圧付勢することにより、前記パッキンが前記コネクタハウジングに対して固定されることを特徴とする防水コネクタ。
【請求項２】
請求項１記載の防水コネクタであって、
前記電線カバーの内壁縁部が、前記係止突起の係止部に当接して前記貫通孔の開口縁に係止させる方向に押圧付勢する拾いテーパ部を有していることを特徴とする防水コネクタ。
【発明の詳細な説明】
【技術分野】
【０００１】
本発明は防水コネクタに関する。
【背景技術】
【０００２】
雌雄のコネクタを嵌合して内蔵した端子金具により電気的接続をする場合、雨水等のかかる可能性のある場所では、短絡事故を防ぐために防水コネクタが使用される（例えば、特許文献１参照）。
図７及び図８に示すように、この防水コネクタ５０１は、雄コネクタハウジング５０３と雌コネクタハウジング５０５とを有する。雄コネクタハウジング５０３は、パッキン５０７を嵌装する空所５０９を備え、パッキン５０７の係止突起部５１１が空所５０９の底面５１３（立上り後壁５１５）の貫通孔５１７を貫通して係止される。空所５０９に雌コネクタハウジング５０５の套体部５１９が嵌入すると、パッキン５０７が圧縮されると共に、雄コネクタハウジング５０３に設けられたロッキングアーム５２１の先端部と雌コネクタハウジング５０５に形成された係止突起５２３が係合して雄コネクタハウジング５０３と雌コネクタハウジング５０５とはロックされる。このロック状態において、雌コネクタハウジング５０５の圧接面５２５がパッキン５０７を空所５０９内に押し込んで、雄コネクタハウジング５０３と雌コネクタハウジング５０５との間を密閉し、水の浸入を防止する。
【先行技術文献】
【特許文献】
【０００３】
【特許文献１】特開平９−１２９３０３号公報
【発明の概要】
【発明が解決しようとする課題】
【０００４】
しかしながら、雄コネクタハウジング５０３に対するパッキン５０７の取り付け時、パッキン５０７の係止突起部５１１を圧縮させて貫通孔５１７に挿通するためには、大きな挿入力が必要であった。そこで、全ての係止突起部５１１が各貫通孔５１７に適切に挿通されなかったり、組立作業性を低下させたりする原因となっていた。
【０００５】
本発明は上記状況に鑑みてなされたもので、その目的は、コネクタハウジングに装着するパッキンの挿入が容易であり、組立作業性が向上する防水コネクタを提供することにある。
【課題を解決するための手段】
【０００６】
本発明に係る上記目的は、下記構成により達成される。
（１）  筒型に形成されたコネクタハウジングと、前記コネクタハウジングの外周壁に沿って周設され、コネクタ嵌合方向の前方に開口する空所と、前記空所の底面としての立上り後壁に穿設された貫通孔と、前記空所内に嵌装されるパッキンと、前記パッキンに形成され、前記貫通孔に挿通される係止突起と、前記コネクタハウジングのコネクタ嵌合方向の後方に係止される電線カバーと、を備える防水コネクタであって、前記係止突起は、前記貫通孔に圧入されることなく、前記貫通孔に挿入可能であり、且つ、前記電線カバーが前記コネクタハウジングに係止される際に、前記電線カバーの内壁縁部が前記貫通孔を貫通した前記係止突起の係止部を前記貫通孔の開口縁に係止させる方向に押圧付勢することにより、前記パッキンが前記コネクタハウジングに対して固定されることを特徴とする防水コネクタ。
【０００７】
上記（１）の構成の防水コネクタによれば、コネクタハウジングにパッキンが組み込まれると、貫通孔の後方にパッキンの係止突起が突出する。係止突起は、貫通孔に抵抗なく貫通できる大きさに設定されており、パッキン挿入時は、圧入されることなく装着可能となる。これにより、パッキン挿入時においては、係止突起が貫通孔に干渉しないため組付け作業性が良好となる。
電線カバーがコネクタハウジングに取り付けられた際に、当該電線カバーの内壁縁部が係止突起の係止部に干渉する（ラップする）位置に配置されている。そこで、干渉位置に配置された内壁縁部は、係止部を撓ませることで、係止突起の係止部と貫通孔の開口縁との間に係り代を発生させ、係止保持力を持たせることができる。また、相手方ハウジングとの嵌合前であってもパッキンが確実に抜け止めされるので、運搬時にパッキンがコネクタハウジングから脱落することもない。
【０００８】
（２）  上記（１）の構成の防水コネクタであって、前記電線カバーの内壁縁部が、前記係止突起の係止部に当接して前記貫通孔の開口縁に係止させる方向に押圧付勢する拾いテーパ部を有していることを特徴とする防水コネクタ。
【０００９】
上記（２）の構成の防水コネクタによれば、係止突起を適切な方向に確実に押圧付勢することができる。また、電線カバーの挿入をスムースに行える。
【発明の効果】
【００１０】
本発明に係る防水コネクタによれば、コネクタハウジングに装着するパッキンの挿入が容易であり、組立作業性が向上する。
【００１１】
以上、本発明について簡潔に説明した。更に、以下に説明される発明を実施するための形態（以下、「実施形態」という。）を添付の図面を参照して通読することにより、本発明の詳細は更に明確化されるであろう。
【図面の簡単な説明】
【００１２】
【図１】本発明の一実施形態に係る防水コネクタの分解斜視図である。
【図２】図１に示したコネクタハウジングのパッキン装着前の縦断面図である。
【図３】図１に示した防水コネクタのパッキン装着後の縦断面図である。
【図４】（ａ）は図３におけるＡ部の拡大図であり、（ｂ）は図３におけるＢ部の拡大図である。
【図５】図３に示した防水コネクタの電線カバー装着後の縦断面図である。
【図６】図５におけるＣ部の拡大図である。
【図７】従来の防水コネクタの雄コネクタハウジングとパッキンの分解斜視図である。
【図８】（ａ）は図７の雄コネクタハウジングに雌コネクタハウジングが嵌合した従来の防水コネクタの断面図、（ｂ）は（ａ）のパッキン装着部の要部拡大図である。
【発明を実施するための形態】
【００１３】
以下、本発明に係る実施形態を図面を参照して説明する。
図１に示すように、本実施形態に係る防水コネクタ１１は、筒型に形成されたコネクタハウジング１３と、コネクタハウジング１３のコネクタ嵌合方向の後方に係止される電線カバー１５と、パッキン１７と、を具備する。なお、本明細書中、コネクタハウジング１３は相手コネクタとの嵌合側を前、その反対側を後とする。
【００１４】
コネクタハウジング１３及び電線カバー１５は、それぞれが樹脂製（例えばＰＢＴ：ポリブチレンテレフタート等）の一体成形品からなる。コネクタハウジング１３は、略直方体形状であり、相手コネクタとの嵌合側に嵌合ブロック部１９が表出する。嵌合ブロック部１９の前面には相手端子の進入開口２１が縦横に配設される。進入開口２１は内部の端子収容室２３に連通して、それぞれの端子収容室２３には端子金具（図示せず）がランス２５に係止されて収容される（図２参照）。
【００１５】
端子金具の後端には電線（図示せず）が接続され、電線はコネクタハウジング１３の後面２７から導出される。後面２７から導出される電線は、コネクタ搭載車両の仕様に応じコネクタ嵌合方向に直交する一方側（右取付側）または他方側（左取付側）に屈曲して取り出される。コネクタハウジング１３の後面２７にはカバー受入溝２９が形成され、このカバー受入溝２９に電線カバー１５の内壁縁部３１が挿入される。
【００１６】
電線カバー１５は、一対の平行なカバー側板３３の一端同士を斜壁板３５で連結し、二方向が開口した箱状に形成される。電線カバー１５の一方の開口はコネクタハウジング１３の後面２７を覆う電線導入開口３７となり、他方の開口は電線取出開口３９となる。
【００１７】
それぞれのカバー側板３３及び斜壁板３５の内壁縁部３１には、係止凸部４１が突設され、係止凸部４１はコネクタハウジング側の係止凹部４４に係止することで後面２７から導出された電線を覆うように電線カバー１５をコネクタハウジング１３に係止固定する。係止凸部４１及び係止凹部４４は、電線カバー１５が右取付側または左取付側に対応して係止固定できるように配設されている。これにより、電線カバー１５は、電線の取り出し方向に応じ、電線取出開口３９が右取付側または左取付側となる二方向の向きでコネクタハウジング１３に選択的に装着可能となる。
【００１８】
なお、防水コネクタ１１には、コネクタハウジング１３の側壁４３に突設された軸４５に係合する低挿入力レバー（図示せず）が取り付けられる。電線カバー１５は、低挿入力レバーが取り付けられた後にコネクタハウジング１３に取り付けられる。
【００１９】
コネクタハウジング１３には外周壁４７が形成され、外周壁４７は嵌合ブロック部１９の外側に離間して形成される。そこで、図２に示すように、コネクタハウジング１３にはこの外周壁４７に沿って空所４９が周設され、空所４９はコネクタ嵌合方向の前方に開口する。この空所４９には、相手コネクタの套体部５１（図３参照）が挿入される。
【００２０】
図４（ａ）に示すように、空所４９の底面５３としての立上り後壁５５には、貫通孔５７が穿設される。つまり、貫通孔５７は、立上り後壁５５を貫通して空所４９とカバー受入溝２９とを連通する。貫通孔５７は、立上り後壁５５の面積よりも小さく形成される。これにより、貫通孔５７の周囲は開口縁５９となっている。
【００２１】
図２に示すように、空所４９にはパッキン１７が嵌装される。パッキン１７は環状に形成され、パッキン本体６１の外周には複数のリップ６３がコネクタ嵌合方向に並んで突設される。このリップ６３は、相手コネクタの套体部５１の内面に水密に密着する。パッキン本体６１には、コネクタ嵌合方向に対して直交方向に起立する起立部６５が形成される。起立部６５は、図４（ａ）に示す立上り後壁５５に対面して接触する。起立部６５にはコネクタ嵌合方向に沿う方向で係止突起６７が突設され、係止突起６７は貫通孔５７に挿入される。係止突起６７の突出先端側には係止部６９が形成される。この係止部６９は、貫通孔５７に抵抗なく挿入できる大きさで形成されている。すなわち、係止突起６７は、貫通孔５７に圧入されることなく挿入可能となる。
【００２２】
貫通孔５７を貫通した係止突起６７は、カバー受入溝２９内に配置される。係止突起６７は、カバー受入溝２９に電線カバー１５が挿入されると、図５及び図６に示すように、内壁縁部３１によってコネクタ嵌合方向と直交する内方に向けて押圧付勢される。即ち、電線カバー１５は、コネクタハウジング１３に係止される際に、貫通孔５７を貫通した係止突起６７の係止部６９を、貫通孔５７の開口縁５９に係止させる方向（図６の下方向）に内壁縁部３１が押圧付勢して撓ませる。これにより、係止突起６７の係止部６９と貫通孔５７の開口縁５９との間に係り代７３が発生し、係止突起６７に貫通孔５７に対する係止保持力を持たせることができる。従って、パッキン１７は、コネクタハウジング１３に対して固定される。
【００２３】
更に、図４（ｂ）に示すように、電線カバー１５の内壁縁部３１には、拾いテーパ部７１が形成されている。拾いテーパ部７１は、カバー受入溝２９への挿入に伴って係止突起６７の係止部６９に当接し、図５及び図６に示すように、貫通孔５７の開口縁５９に係止させる方向に係止部６９を押圧付勢する。
【００２４】
次に、上記構成のパッキン係止構造を有する防水コネクタ１１の作用を説明する。
上述した防水コネクタ１１は、コネクタハウジング１３の空所４９にパッキン１７が組み込まれると、貫通孔５７の後方側となるカバー受入溝２９にパッキン１７の係止突起６７が突出する（図３参照）。
【００２５】
係止突起６７は、貫通孔５７に抵抗なく貫通できる大きさに設定されており、パッキン挿入時は、圧入されることなく装着可能となる。これにより、パッキン挿入時においては、係止突起６７が貫通孔５７に干渉しないため組付け作業性が良好となる。
【００２６】
図５及び図６に示すように、電線カバー１５がコネクタハウジング１３に取り付けられると、電線カバー１５の内壁縁部３１がカバー受入溝２９に挿入される。カバー受入溝２９に挿入された内壁縁部３１は、係止突起６７の係止部６９に干渉する（ラップする）位置に配置されている。干渉位置に配置された内壁縁部３１は、係止部６９を撓ませることで、係止部６９と開口縁５９との間に係り代７３を発生させ、係止突起６７に貫通孔５７に対する係止保持力を持たせることができる。つまり、開口縁５９に係止部６９を引っ掛けた状態とすることができる。
【００２７】
上述したように、本実施形態の防水コネクタ１１は、電線カバー１５をコネクタハウジング１３に取り付けることで、相手コネクタとの嵌合前であってもパッキン１７が確実に抜け止めされるので、運搬時にパッキン１７がコネクタハウジング１３から脱落することもない。
【００２８】
また、本実施形態の防水コネクタ１１では、内壁縁部３１に拾いテーパ部７１が設けられることで、カバー受入溝２９に挿入された内壁縁部３１が係止突起６７の係止部６９に正面から当接することを回避できる。これにより、係止突起６７を適切な方向に確実に押圧付勢することができる。また、このことは、内壁縁部３１の挿入抵抗を軽減することにもなり、電線カバー１５の挿入をスムースにできる。
【００２９】
従って、上述した本実施形態に係る防水コネクタ１１によれば、コネクタハウジング１３に装着するパッキン１７の挿入が容易であり、組立作業性が向上する。
なお、本発明の防水コネクタは、上述した実施形態に限定されるものではなく、適宜、変形、改良等が可能である。その他、上述した実施形態における各構成要素の材質、形状、寸法、数、配置箇所等は本発明を達成できるものであれば任意であり、限定されない。
【符号の説明】
【００３０】
１１…防水コネクタ
１３…コネクタハウジング
１５…電線カバー
１７…パッキン
３１…内壁縁部
４７…外周壁
４９…空所
５３…底面
５５…立上り後壁
５７…貫通孔
５９…開口縁
６７…係止突起
６９…係止部
７１…拾いテーパ部
【図１】
2013105591.tif 000003
【図２】
2013105591.tif 000004
【図３】
2013105591.tif 000005
【図４】
2013105591.tif 000006
【図５】
2013105591.tif 000007
【図６】
2013105591.tif 000008
【図７】
2013105591.tif 000009
【図８】
2013105591.tif 000010